(57)【特許請求の範囲】
【請求項１】
温度に依存して透明度もしくは色調のいずれかが可逆的に変化する熱可逆記録媒体に対し、レーザ光を照射して加熱することにより前記熱可逆記録媒体に単一もしくは複数の文字もしくは画像を記録する画像記録手段と、
前記熱可逆記録媒体を加熱することにより該熱可逆記録媒体に記録された画像を消去する画像消去手段と、
前記画像消去手段に与える消去データであって、前記熱可逆記録媒体の一部に限定された消去領域の情報が含まれる消去データを生成する消去データ生成手段と
を備え、
前記消去データ生成手段は、前記熱可逆記録媒体に既に記録された文字もしくは画像の印字データに基づいて消去領域を判断し、当該消去領域に基づいて消去データを生成し、
前記画像消去手段は、前記熱可逆記録媒体に既に記録された文字もしくは画像の印字データに対応する消去データであって、前記消去データ生成手段が既に生成し、上位装置が印字データのフォーマットに対応付けて保持する消去データを前記上位装置から取得して消去を行う
ことを特徴とする画像処理装置。
【請求項２】
請求項１に記載の画像処理装置において、
前記消去データ生成手段は、前記熱可逆記録媒体に既に記録された文字もしくは画像の印字データを解析することにより消去領域を判断し、当該消去領域に基づいて消去データを生成する
ことを特徴とする画像処理装置。
【請求項３】
請求項１または２のいずれか一項に記載の画像処理装置において、
前記熱可逆記録媒体に既に記録された文字もしくは画像の印字データは、前記熱可逆記録媒体に既に記録されたバーコードに基づいて特定する
ことを特徴とする画像処理装置。
【発明の詳細な説明】
【技術分野】
【０００１】
本発明は、熱により発色する性質を持つリライタブルペーパ等にレーザ光で文字等を描画するとともに、描画された文字等を消去する技術に関する。
【背景技術】
【０００２】
物品のあて先や物品名を印字するラベルに感熱紙が用いられることがある。例えば、工場で使われるプラスチック製のコンテナにはこのような感熱型のラベルが貼付されている。感熱紙のラベルは、熱により変色する性質をもっており、熱ヘッド等を利用して文字や記号を書き込むことができる。
【０００３】
そして、このような感熱紙でも書き込み、消去を繰り返し行えるリライタブルタイプのものが登場してきた。物流で利用する際には、コンテナにラベルを貼ったまま書き込み、消去ができることが望ましいため、非接触でレーザ光をラベルに照射して発熱させることで文字等を描く方法が提案されている（例えば、特許文献１を参照。）。これにはフレキシブルジョイントにより構成された複数のレンズ系の一端から入射したレーザ光による画像を他端まで伝達するリレーレンズ系が記載されている。
【０００４】
ところで、このようなリライタブルタイプのラベル（以下、リライタブルペーパと記載することもある）を利用する場合に、ラベルの内容を書き換える際は、既にラベルに書き込まれている内容を一度消去し、新しい内容を書き込むという手順を取る必要がある。
【０００５】
ここで、感熱紙に印字された文字等を消去する方法は、特許文献２〜５等の文献に開示されている。特許文献２によれば、感熱紙に対し温風を吹き付けることで、感熱紙全域を高速に消去することができ、特許文献３によれば、消去光を線状に集光することで、感熱紙に対して高速な消去を実現し、かつ消去光発光光源を分割しシャッタ等で覆うことで部分的な消去を可能としている。また、特許文献４では、別途消去機を設けることなく、かつ印字時における動作条件を大幅に変更することなく消去を行うことを可能としている。また、特許文献５では書き込み用レーザ装置と消去用レーザ装置とを用いた書き換えシステムにおいて、画像データを比較することにより、部分的に消去する領域を抽出し部分消去を行っている。
【発明の概要】
【発明が解決しようとする課題】
【０００６】
しかし、上述した技術ではいくつかの問題点が指摘されていた。
【０００７】
まず、特許文献２、３、５では消去を行う装置を別途設ける必要があるが、コスト面から見ると書き込み用の装置１台で印字と消去の両方を行える方が望ましい。
【０００８】
また、特に書き込み用の装置１台で消去を行う際は、感熱紙全域に対して消去処理を行うよりも、消去する必要がある部分的な領域のみに消去処理を行う方が、消去処理を行う領域が少なく処理を早く行えるため望ましい。しかし、特許文献２ではそれ自体が難しく、また特許文献３、４では消去する必要がある部分的な領域を検出し設定する手法が提示されていない。特許文献５では、画像データを比較することで消去部分を抽出していたが、この手法では別途画像データを取得する装置が必要となり、また画像比較を行うため複雑な処理が必要となり消去領域を抽出するのに時間がかかる。
【０００９】
本発明は上記の従来の問題点に鑑み提案されたものであり、その目的とするところは、各々のパターンで印字されたリライタブルペーパ等の熱可逆記録媒体に対し、別途消去機を用いることなく部分的な消去を行う際の、部分的な消去領域の設定を効率的に行うことにある。
【課題を解決するための手段】
【００１０】
上記の課題を解決するため、本発明にあっては、温度に依存して透明度もしくは色調のいずれかが可逆的に変化する熱可逆記録媒体に対し、レーザ光を照射して加熱することにより前記熱可逆記録媒体に単一もしくは複数の文字もしくは画像を記録する画像記録手段と、前記熱可逆記録媒体を加熱することにより該熱可逆記録媒体に記録された画像を消去する画像消去手段と、前記画像消去手段に与える消去データであって、前記熱可逆記録媒体の一部に限定された消去領域の情報が含まれる消去データを生成する消去データ生成手段とを備え、前記消去データ生成手段は、前記熱可逆記録媒体に既に記録された文字もしくは画像の印字データに基づいて消去領域を判断し、当該消去領域に基づいて消去データを生成し、前記画像消去手段は、前記熱可逆記録媒体に既に記録された文字もしくは画像の印字データに対応する消去データであって、前記消去データ生成手段が既に生成し、上位装置が印字データのフォーマットに対応付けて保持する消去データを前記上位装置から取得して消去を行う画像処理装置を要旨としている。
【発明の効果】
【００１１】
本発明の画像処理装置にあっては、各々のパターンで印字されたリライタブルペーパ等の熱可逆記録媒体に対し、別途消去機を用いることなく部分的な消去を行う際の、部分的な消去領域の設定を効率的に行うことができる。
【図面の簡単な説明】
【００１２】
【図１】ラベルの印字例を示す図である。
【図２】描画オブジェクトの例を示す図である。
【図３】印字データの構造例を示す図である。
【図４】第１の実施形態にかかるシステムの構成例を示す図である。
【図５】レーザマーカ装置の構成例を示す図である。
【図６】第１の実施形態の処理例を示すフローチャートである。
【図７】第１の実施形態によるラベルの書き換え例を示す図である。
【図８】第１の実施形態の他の処理例を示すフローチャートである。
【図９】第１の実施形態の他の処理例によるラベルの書き換え例を示す図である。
【図１０】第２の実施形態にかかるシステムの構成例を示す図である。
【図１１】第２の実施形態の処理例を示すフローチャートである。
【図１２】印字データの比較例を示す図である。
【図１３】第２の実施形態によるラベルの書き換え例を示す図である。
【図１４】第３の実施形態の処理例を示すフローチャートである。
【図１５】第３の実施形態によるラベルの書き換え例を示す図である。
【図１６】第３の実施形態の他の処理例を示すフローチャートである。
【図１７】第３の実施形態の更に他の処理例を示すフローチャートである。
【発明を実施するための形態】
【００１３】
以下、本発明の好適な実施形態につき説明する。
【００１４】
＜概要＞
本実施形態は、リライタブルペーパのような熱可逆記録媒体（サーマルリライタブルメディア）に印字された文字、図形などに対し、メディア全体でなく、消去したい部分、例えばメディア全体の２０％の領域のみを消去可能とする消去データを生成して消去に利用することにより、印字時間の短縮面を向上させうる、部分的消去を可能とする。
【００１５】
更に、印字環境下で使用される印字パターンに応じ、そのパターン毎に対して、メディアの書換え時間を短縮させうる種種の消去データの生成パターンを提案することにより、あらゆる環境下で効率的なサーマルリライタブルメディアの書換えが行えることを、消去バー等の消去機を別途設けることなく、印字機のみで実現可能とする。
【００１６】
＜前提＞
本実施形態において、ストロークとはレーザ光の１回の走査（走査開始点から走査終了点）により得られる１本の直線または曲線をいい、ストロークにより形成された文字、記号、数字または図形を画像またはオブジェクト（描画オブジェクト）という。特に、オブジェクトと記した際は、ストロークにより形成された文字、記号、数字または図形それぞれのひとかたまりをさすこととする。
【００１７】
また、画像を形成することを「描画」、「記録」または「印字」と言う。また、ストロークは連続する線だけでなく破線や点線も含む。
【００１８】
また、印字した画像を消すことを「消去」と言い、印字された画像を消去し再び印字することを「書換え」と言う。
【００１９】
更に、印字データとは、レーザ光の走査によって感熱紙に対し描画を行う際のレーザ光を制御するレーザマーカ装置（印字機等とも記載）を制御するためのデータのことをいう。
【００２０】
印字済みデータとは、一回以上感熱紙に対して描画を行った印字データを破棄せず保持していたもののことをいい、消去データとは、レーザ光の走査によって感熱紙に描画された画像を消去する際のレーザ光を制御するレーザマーカ装置を制御するためのデータのことを言う。この消去データは印字データと同じ情報項目で構成にしてもよい。
【００２１】
また、単純にデータと記された際は、これらのデータ全てを指している。
【００２２】
なお、これらのデータはレーザマーカ装置が容易に理解できる命令等で構成されていることを前提とする。
【００２３】
図１はラベルの印字例を示す図であり、複数の数字、文字、図形、バーコード等で構成されている。
【００２４】
図２は記録領域Ｌ上の描画オブジェクトの例を示す図であり、Ｏ１、Ｏ２、Ｏ３が描画オブジェクトである。括弧付きの数字は矢印の先の部分の座標値（Ｘ座標，Ｙ座標）を示している。
【００２５】
図３は印字データの構造例を示す図である。Ｉは印字データ全体を示し、ｌｎは行番号を示している。また、Ｗ１は描画オブジェクトＯ１を記録するための命令例を示し、ＲはレーザのＯＮ／ＯＦＦの命令例を示している。Ｓｐはレーザ走査始点の座標命令例を示し、Ｅｐはレーザ走査終点の座標命令例を示し、Ｂはオブジェクト毎の区切り情報例を示している。印字データには、レーザパワーや装置の走査速度の制御係数（図示しない）といった情報も含まれる。
【００２６】
＜各実施形態の概要＞
以下に説明する実施形態は熱可逆記録媒体としてのサーマルペーパの一部に限定された消去領域の情報が含まれる消去データを生成することを基本としている。
【００２７】
そして、第１の実施形態は、これから記録を行う記録領域に基づいて消去領域を判断し、その消去領域に基づいて消去データを生成するものである。更に、この第１の実施形態には、これから記録を行う記録領域全域を１つの消去領域と判断し、その消去領域に基づいて消去データを生成するタイプと、これから記録を行うオブジェクト単位毎の記録領域それぞれを消去領域と判断し、その消去領域に基づいて消去データを生成するタイプと、これから記録を行う内容に応じた消去領域を上位装置から取得し、その消去領域に基づいて消去データを生成するタイプとが存在する。
【００２８】
第２の実施形態は、既に記録された文字もしくは画像の印字データとこれから記録を行う文字もしくは画像の印字データとに基づいて消去領域を判断し、その消去領域に基づいて消去データを生成し、消去の後、その消去領域についてのみ文字もしくは画像を記録するものである。すなわち、既に記録された文字もしくは画像の印字データとこれから記録を行う文字もしくは画像の印字データとを比較し、差のある部分を消去領域と判断して消去データを生成する。
【００２９】
第３の実施形態は、既に記録された文字もしくは画像の印字データに基づいて消去領域を判断し、その消去領域に基づいて消去データを生成するものである。更に、この第３の実施形態には、既に記録された文字もしくは画像の印字データを解析することにより消去領域を判断し、その消去領域に基づいて消去データを生成するタイプと、既に記録された文字もしくは画像の印字データに対応する消去データを上位装置から取得し、その消去データに基づいて消去を行うタイプと、既に記録された文字もしくは画像の印字データに対応する消去データを自ら保持し、その消去データに基づいて消去を行うタイプとが存在する。
【００３０】
＜第１の実施形態＞
図４は第１の実施形態にかかるシステムの構成例を示す図である。本実施形態では、コンテナに取り付けられたリライタブルペーパに対してレーザを用いて書換えを行うレーザ書換えシステムとして説明する。このレーザ書換えシステムは、例えば配送に用いるコンテナに梱包される商品の内容や配送先の情報を新たに書き換える場合などに用いる。
【００３１】
図４において、管理対象物品としてのコンテナ１０を載置して搬送する搬送手段としてのコンベア３０の側部には、レーザ書込装置（画像処理装置）４０が配置されている。レーザ書込装置４０は、主たる制御処理を行う書込制御装置４１と、コンテナ１０に添付されるリライタブルペーパ２０へ画像の記録および画像の消去を行えるレーザマーカ装置４２とが設けられている。
【００３２】
書込制御装置４１は、図示しないＣＰＵ（Central Processing Unit）、ＲＯＭ（Read Only Memory）、ＲＡＭ（Random Access Memory）等を有し、制御手段として機能する。この書込制御装置４１は、図示しない配送管理システムとネットワークを介してデータの送受信を行い、それに基づきレーザマーカ装置４２を制御する。
【００３３】
図５はレーザマーカ装置４２の構成例を示す図である。レーザマーカ装置４２は、装置全体を制御する全体制御装置４２１と、レーザ光を照射するレーザ照射部４２２とを有する。
【００３４】
レーザ照射部４２２では、レーザ発振器４２３で発生させたレーザ光を、レーザ光のスポット径を大きくするスポット径調整レンズ４２４を通し、ガルバノミラーと呼ばれるレーザの照射方向を制御する方向制御ミラー４２５により向きを調整し、焦点距離調整レンズ４２７により焦点距離に合わせてレーザを収束させ、記録対象となるリライタブルペーパ２０に照射し、描画を行う。
【００３５】
レーザ光が照射されるとリライタブルペーパ２０が熱を持ち、その熱で発色して文字などの描画ができることになる。また、消去はパワーを抑制し、焦点をぼかし照射範囲を広げたレーザを照射して行う。照射位置の調整は、全体制御装置４２１が方向制御モータ４２６を介して、方向制御ミラー４２５を動かすことで行う。レーザのＯＮ，ＯＦＦやパワーは全体制御装置４２１がレーザ発振器４２３を制御して行う。パワーの制御によりある程度描画するストローク幅を変化させることもできる。
【００３６】
リライタブルペーパ２０は、例えば、Ａ４版の大きさである。このリライタブルペーパ２０は、表面から深さ方向に向かって、保護層、熱可逆性フィルムで構成された記録層、基材層、バックコート層という４層をもって構成されている。そして、このリライタブルペーパ２０は、柔軟性と同時にある程度の強度特性を有するように構成され、繰り返し使用することができる。
【００３７】
リライタブルペーパ２０は、その一部に書き換え可能な可逆表示領域としてのリライタブル表示領域が設けられている。このリライタブル表示領域は、熱可逆性（Thermo-Chromic）フィルム等の可逆性感熱記録媒体により構成される。この可逆性感熱記録媒体には、温度に依存して透明度が可逆的に変化する態様と、温度に依存して色調が可逆的に変化する態様とがある。本実施形態では、温度に依存して色調が可逆的に変化する可逆記録媒体で、記録層にロイコ染料と顕色剤を含んでおり、リライタブル特性を実現する熱可逆性フィルムを用いる。すなわち、発色は、消色状態から融点以上（例えば約１８０℃）に加熱し、ロイコ染料と顕色剤とが混合した溶融状態から急冷することによって行なう。この場合、染料と顕色剤が結合したまま凝集し、ある程度規則的に集合した状態を形成して発色状態が固定される。一方、消色は、発色状態を溶融しない温度（例えば１３０から１７０℃）に再加熱することにより行なう。この場合、発色の集合状態が崩れ、顕色剤が単独で結晶化して分離することによって消色状態になる。ロイコ染料としては、無色または淡色の染料前駆体であり、特に制限はなく、従来公知のものの中から適宜選択することができる。
【００３８】
図６は第１の実施形態の処理例を示すフローチャートである。すなわち、以上のように構成されたレーザ書込装置４０を用いて、レーザ書込処理を実行する場合の処理手順である。
【００３９】
レーザ書込装置４０は、例えば、出荷する商品の梱包を完了し、梱包指示データが記録されていたリライタブルペーパ２０に商品の配送情報を書き込む場合に行われる。
【００４０】
コンテナ１０は、コンベア３０に載置されて、コンベア３０によって順次搬送される。
【００４１】
まず、コンベア３０によって書換え対象であるコンテナ１０がレーザマーカ装置４２の書換えに適する位置まで搬送される。
【００４２】
コンテナ１０が書換えに適する位置まで搬送されて処理を開始すると（ステップＳ１０１）、図示しない配送管理システムから書換えのシグナルが書込制御装置４１に送信され、書込制御装置４１はコンテナ１０に貼付されるリライタブルペーパ２０に画像を書込むためのデータを取得する（ステップＳ１０２）。ここで、書込むためのデータとは、リライタブルペーパ２０のどの位置にどのような画像を書込むかといった座標等の情報で構成されており、これは図示しない外部ツール、例えばレイアウタ等もしくはホスト等により、図示しないユーザが任意で指定することができるものとする。
【００４３】
そして、取得したデータに基づいて、レーザマーカ装置４２がリライタブルペーパ２０に描画するためのデータ（印字データ）を、書込制御装置４１が生成する（ステップＳ１０３）。この印字データは前述したとおり、レーザマーカ装置４２のレーザ走査軌跡や、レーザのパワー、走査速度、レーザのＯＮ／ＯＦＦ等を制御する命令で構成されている。
【００４４】
次に、画像を書き込むために、まずコンテナ１０に既に書き込まれている画像を消去する。
【００４５】
ここで、このような配送センターでは、ラベルの見栄えよりも、書換えの速度が重視されるケースが多い。すなわち、画像の内容を人または機器が認識できさえすればよく、図７（Ａ）のラベルに図７（Ｂ）のラベルを書き込む場合、図７（Ｃ）で示すように画像領域外に関しては消し残りが含まれていても問題ない。図７（Ｃ）のような書換えを行う際は、レーザマーカ装置４２がリライタブルペーパ２０に対して消去を行う領域がＲで示す領域のみでよく、リライタブルペーパ全域（図７（Ａ）のＬ）を消去する場合に比べ、レーザマーカ装置４２の消去処理時間を短縮することができる。
【００４６】
以上のような消去処理を実施するために、書込制御装置４１は、ステップＳ１０３で生成した印字データを解釈し、内部的に構成される次画像記録領域取得手段により、印字データによって書き込まれる画像の領域（図７（Ｃ）のＲ）を取得する（ステップＳ１０４）。具体的には、書込制御装置４１は、印字データ内におけるレーザＯＮ状態の座標命令郡（図３のＲ部分が「１」であるＳｐおよびＥｐ）から各ストロークの座標情報を得、それらの各最小座標および最大座標を求めることにより、印字データによって書き込まれる画像を囲む領域を抽出する。
【００４７】
次に、取得した書き込まれる画像の領域から、内部的に構成される消去領域判断手段により、最適な消去領域を設定する。具体的には、ステップＳ１０４で抽出した領域をレーザの線幅分拡張させるといった方法等があるが、設定方法はこれに限らない。
【００４８】
そして、内部的に構成される消去データ生成手段によって、レーザマーカ装置４２がリライタブルペーパ２０に対して前記の抽出した消去領域内の消去を行うためのデータ（消去データ）を、書込制御装置４１が生成する（ステップＳ１０５）。
【００４９】
このようにして生成された消去データを書込制御装置４１はレーザマーカ装置４２へ消去シグナルと共に通知し、これらの設定情報を元にレーザマーカ装置４２はコンテナ１０に貼付されているリライタブルペーパ２０に消去処理を実行する（ステップＳ１０６）。
【００５０】
消去処理が完了すると、書込制御装置４１は印字シグナルと共にステップＳ１０３で生成した印字データをレーザマーカ装置４２へ通知し、これらの設定情報を元にレーザマーカ装置４２はコンテナ１０に貼付されているリライタブルペーパ２０に対して印字処理を実行し（ステップＳ１０７）、処理を終了する（ステップＳ１０８）。
【００５１】
これらのステップを踏むことで、レーザマーカ装置４２はコンテナ１０に印字する画像毎に応じた部分的な領域のみを消去すればよく、消去処理にかかる時間を短縮することができる。
【００５２】
図８は第１の実施形態の他の処理例を示すフローチャートである。
【００５３】
図８において、処理を開始し（ステップＳ１１１）、画像を書き込むためのデータを取得し（ステップＳ１１２）、印字データを生成する（ステップＳ１１３）。ここまでは上述した実施形態と同じである。
【００５４】
次いで、上述した処理例では、印字データによって書き込まれる画像全域を囲む領域を抽出し、画像全域を囲む一つの領域として消去領域を設定したが、よりレーザマーカ装置４２による消去処理実行時間を短縮するために、印字データによって書き込まれるオブジェクト毎を囲む領域を１以上抽出し（ステップＳ１１４）、取得した各オブジェクトを囲む領域から、オブジェクト毎の消去領域を内部的に構成される消去領域判断手段により１以上設定し、これら設定された複数の消去領域を一つの消去データとして生成している（ステップＳ１１５）。
【００５５】
この場合、ステップＳ１１４では、具体的には印字データ内におけるオブジェクト毎の区切り情報（図３のＢ）により、印字データ内の各オブジェクト毎の座標命令郡（例えば図２のオブジェクトＯ１に対しては図３のＷ１のＲ部分が「１」であるＳｐおよびＥｐ）を識別し、そのオブジェクト毎の最小座標および最大座標を求めることにより、印字データによって書き込まれるオブジェクト毎を囲む領域を抽出する。
【００５６】
また、ステップＳ１１５では、ステップＳ１１４で抽出されたオブジェクト毎の領域から、例えば抽出した領域それぞれをレーザの線幅分拡張させるといった方法等をとることにより、それぞれの領域に最適な設定を行い、これら設定した領域をもとに消去データを生成する。
【００５７】
その後、消去データに基づいて消去処理を実行し（ステップＳ１１６）、印字データに基づいて印字処理を実行し（ステップＳ１１７）、処理を終了する（ステップＳ１１８）。
【００５８】
以上のステップＳ１１４、Ｓ１１５を行うことにより、レーザマーカ装置４２の消去領域は、図９（Ａ）のラベルに図９（Ｂ）のラベルを書き込む場合、図９（Ｃ）のＲ部分だけになり、更に消去処理を実行する領域を抑え、消去処理実行時間を短縮することができる。
【００５９】
また、上記の処理では印字データから画像またはオブジェクトの存在領域を求めて消去データを生成したが、印字データを解釈することなく、印字データと同様に、図示しない配送管理システムなどのホストから、外部ツール、例えばレイアウタなどにより、図示しないユーザが任意に消去領域を座標などの情報で直接指定し、それを書込制御装置４１が消去データとして生成してもよい。
【００６０】
＜第２の実施形態＞
図１０は第２の実施形態にかかるシステムの構成例を示す図である。図１０では、バーコードリーダ５０が新たに設けられた点以外は図４と同様である。第１の実施形態と同様の部分は同一の符号を付し、その詳細な説明は省略する。また、本実施形態では、第１の実施形態と同じ構成のレーザ書込装置４０を用いるが、消去領域の取得手段が異なる。
【００６１】
また、本実施形態においては、コンテナ１０にラベルとして貼付けられるリライタブルペーパ２０には、レーザマーカ装置４２により印字される際に、そのラベルと対応付けられたＩＤデータを格納したバーコードも印字内容と共に記録されているものとする。
【００６２】
図１１は第２の実施形態の処理例を示すフローチャートである。
【００６３】
処理を開始すると（ステップＳ２０１）、コンベア３０によって搬送された書換え対象であるコンテナ１０は、まずバーコードリーダ５０により、リライタブルペーパ２０上に記載のデータからリライタブルペーパ２０を特定するＩＤデータを書込制御装置４１が取得する（ステップＳ２０２）。
【００６４】
次に、書き換え対象であるコンテナ１０はコンベア３０によってレーザマーカ装置４２の書換えに適する位置まで搬送される。
【００６５】
コンテナ１０が書換えに適する位置まで搬送されると、図示しない配送管理システムから書換えのシグナルが書込制御装置４１に送信され、コンテナ１０に貼付されるリライタブルペーパ２０に画像を書き込むためのデータを取得し（ステップＳ２０３）、取得したデータに基づいて、レーザマーカ装置４２がリライタブルペーパ２０に描画するためのデータ（印字データ）を、書込制御装置４１が生成する（ステップＳ２０４）。
【００６６】
次に、消去データの生成を行うが、ここで書込制御装置４１はバーコードリーダ５０により読み取った当該リライタブルペーパ２０のＩＤデータを図示しない配送管理システムへ通知する（ステップＳ２０５）。配送管理システムはレーザマーカ装置４２がリライタブルペーパ２０に印字する際に利用した印字データをリライタブルペーパ２０上に記録したバーコード記載のＩＤデータと対応付けて保持しているものとする。
【００６７】
書込制御装置４１からＩＤデータを通知された図示しない配送管理システムは、対応する印字データ（以下、混同しないように「印字済みデータ」と記載することもある）を書込制御装置４１に送信し、配送管理システムから送信された印字済みデータを、書込制御装置４１の内部的に構成される印字データ取得手段で取得する（ステップＳ２０６）。
【００６８】
書込制御装置４１は取得した消去対象の印字済みデータと、これから印字すべき印字データとを内部的に構成される印字データ比較手段により比較し、書き換える必要がある領域を消去領域抽出手段により消去領域として抽出する（ステップＳ２０７）。
【００６９】
図１２は印字データの比較例を示す図である。図１２において、（Ａ）、（Ｂ）はそれぞれ比較される印字データ（（Ａ）は書換え前、（Ｂ）は書換え後）であって、ｌのようにオブジェクト毎に特定の区切り情報により区分けされているとする。印字データ比較手段はオブジェクト毎の座標命令間の差異ｄを検出し、差異の検出されたオブジェクトｏを消去対象オブジェクトとする。内部的に構成される消去領域抽出手段は、消去対象オブジェクト毎の座標命令郡からオブジェクトの領域を、例えば当該消去対象オブジェクトの最小座標、最大座標から算出し、消去領域として抽出する。
【００７０】
書込制御装置４１はこの消去領域から消去データを内部的に構成される消去データ生成手段により生成する（ステップＳ２０８）。
【００７１】
ステップＳ２０７、Ｓ２０８を行うことにより、リライタブルペーパ２０に既に印字されている画像と、これから印字する画像の差異のある部分領域のみを消去する消去データが生成される。
【００７２】
また、以上の手順では特許文献５のように一度画像を生成することなく、印字データ同士の比較のみで消去領域を抽出できるため、特許文献５よりも速い速度で確実な消去データの生成を行うことができる。
【００７３】
次に、書込制御装置４１はステップＳ２０７で比較した結果、差異の検出されなかったオブジェクトのデータをこれから使用する印字データから除く（ステップＳ２０９）。具体的には、ステップＳ２０７と同様に印字データと印字済みデータを比較し、差異の検出されなかったオブジェクトのデータを印字データから除き、最適化した印字データを生成する。
【００７４】
ステップＳ２０９を行うことにより、リライタブルペーパ２０に既に印字されている画像と、これから印字する画像の差異部分のみを印字する印字データが生成される。
【００７５】
このようにして生成された消去データに基づき、レーザマーカ装置４２はコンテナ１０に貼付されているリライタブルペーパ２０に消去処理を実行し（ステップＳ２１０）、コンテナ１０に貼付されているリライタブルペーパ２０に印字処理を実行し（ステップＳ２１１）、処理を終了する（ステップＳ２１２）。
【００７６】
これらのステップを踏むことにより、レーザマーカ装置４２はコンテナ１０のリライタブルペーパ２０に書換えを行う際、リライタブルペーパ２０に既に印字されている画像との差異のある部分領域のみの消去と印字を行うだけでよく、書換え処理にかかる時間を短縮することができる。図１３（Ａ）は既に記録されている画像を示し、図１３（Ｂ）はこれから記録する画像を示すが、消去領域Ｒは差異部分ｄ１、ｄ２に対応したものとなる。
【００７７】
＜第３の実施形態＞
本実施形態におけるシステム構成は図１０に示したものと同様である。本実施形態では、第１、第２の実施形態と同じ構成のレーザ書込装置４０を用いるが、消去領域の取得手段が異なる。また、本実施形態においても、コンテナ１０はコンベア３０によって搬送され、コンテナ１０に貼付られるリライタブルペーパ２０にはそのラベルと対応付けられたＩＤデータがバーコードとして記録されているものとする。
【００７８】
図１４は第３の実施形態の処理例を示すフローチャートである。
【００７９】
処理を開始すると（ステップＳ３０１）、書込制御装置４１はコンベア３０によって搬送されてきたコンテナ１０に貼付されるリライタブルペーパ２０を特定するＩＤデータをバーコードリーダ５０を介して取得する（ステップＳ３０２）。
【００８０】
次に、書換え対象であるコンテナ１０がコンベア３０によってレーザマーカ装置４２の書換えに適する位置まで搬送される。
【００８１】
コンテナ１０が書換えに適する位置まで搬送されると、図示しない配送管理システムから書換えのシグナルが書込制御装置４１に送信され、コンテナ１０に貼付されるリライタブルペーパ２０に画像を書き込むためのデータを取得し（ステップＳ３０３）、取得したデータに基づいて、レーザマーカ装置４２がリライタブルペーパ２０に描画するためのデータ（印字データ）を、書込制御装置４１が生成する（ステップＳ３０４）。
【００８２】
次に消去データの生成を行うが、ここで書込制御装置４１はバーコードリーダ５０により読み取った当該リライタブルペーパ２０のＩＤデータを図示しない配送管理システムへ通知し（ステップＳ３０５）、配送管理システムからコンテナ１０のリライタブルペーパ２０と対応する印字済みデータを取得する（ステップＳ３０６）。
【００８３】
書込制御装置４１は取得した印字済みデータを解釈し、内部的に構成される前画像記録領域取得手段により、印字済みデータからリライタブルペーパ２０に既に書き込まれている画像のオブジェクト毎の領域を取得する（ステップＳ３０７）。図１５のｏはオブジェクト毎の領域を示している。具体的には、書込制御装置４１は、印字データ内におけるレーザＯＮ状態の座標命令郡（図３のＲ部分が「１」のＳｐおよびＥｐ）から各オブジェクト毎のストロークの座標命令を得、それらの最小座標および最大座標を求めることにより、それら各オブジェクトを囲む領域を抽出する。
【００８４】
次に取得したオブジェクト毎の領域から、書込制御装置４１は内部的に構成される消去領域判断手段により、オブジェクト毎の１以上の消去領域を設定、例えば各オブジェクトを囲む領域をレーザ線幅分延長する等し、内部的に構成される消去データ生成手段によって、レーザマーカ装置４２がリライタブルペーパ２０に対して前記抽出した１以上の消去領域内の消去を行うための消去データを生成する（ステップＳ３０８）。
【００８５】
ここで、本実施形態で生成される消去データによる消去領域は、１以上のオブジェクト全てを含む領域（図１５のＲ）としてではなく、オブジェクト領域（図１５のｏ）毎の消去領域が１以上から構成された領域となる。すなわち、消去処理はオブジェクト領域（図１５のｏ）毎に対して行われるため、リライタブルペーパ全域（図１５のＬ）および、オブジェクトを全て含む領域（図１５のＲ）よりも少ない領域とすることができる。
【００８６】
このようにして生成された消去データに基づき、レーザマーカ装置４２はコンテナ１０に貼付されているリライタブルペーパ２０に消去処理を実行し（ステップＳ３０９）、コンテナ１０に貼付されているリライタブルペーパ２０に印字処理を実行し（ステップＳ３１０）、処理を終了する（ステップＳ３１１）。
【００８７】
これらのステップを踏むことにより、レーザマーカ装置４２はコンテナ１０に書換えを行う際、コンテナ１０に貼付られるリライタブルペーパ２０に既に印字されている領域（図１５のｏ）のみの部分的な消去を行うだけでよく、消去処理にかかる時間を短縮することができる。また、リライタブルペーパ２０に既に印字されている画像の印字済みデータだけを見るだけでよく、比較などの処理を行わないため、消去データの生成時間も短縮することができる。
【００８８】
図１６は第３の実施形態の他の処理例を示すフローチャートである。
【００８９】
処理を開始すると（ステップＳ３２１）、書込制御装置４１はコンベア３０によって搬送されてきたコンテナ１０に貼付されるリライタブルペーパ２０を特定するＩＤデータをバーコードリーダ５０を介して取得する（ステップＳ３２２）。
【００９０】
次に書換え対象であるコンテナ１０がコンベア３０によってレーザマーカ装置４２の書換えに適する位置まで搬送される。
【００９１】
コンテナ１０が書換えに適する位置まで搬送されると、図示しない配送管理システムから書換えのシグナルが書込制御装置４１に送信され、コンテナ１０に貼付されるリライタブルペーパ２０に画像を書き込むためのデータを取得し（ステップＳ３２３）、取得したデータに基づいて、レーザマーカ装置４２がリライタブルペーパ２０に描画するためのデータ（印字データ）を、書込制御装置４１が生成する（ステップＳ３２４）。
【００９２】
次に消去データの生成を行うが、ここで書込制御装置４１はバーコードリーダ５０により読み取った当該リライタブルペーパ２０のＩＤデータを図示しない配送管理システムへ通知する（ステップＳ３２５）。本処理例では、配送管理システムは予め書込制御装置４１で生成した消去データを、リライタブルペーパ２０に印字される画像のフォーマットに応じて１種以上持っていることとする。また、これらの消去データは識別子として、対応するＩＤを割り振られているものとする。
【００９３】
配送管理システムは、ステップＳ３２５で通知されたＩＤから画像のフォーマットを判断し、フォーマットに応じた消去データを書込制御装置４１へ送信し、書込制御装置４１が取得する（ステップＳ３２６）。また、図示しないが、ステップＳ３２２で取得するリライタブルペーパ２０に記録されているバーコードの情報を、ラベルと対応付けられたＩＤデータではなく、ラベルに使用する消去データのＩＤ情報とすることにより、配送管理システム等がフォーマットの判断などを行わずにより単純に書込制御装置４１が消去データ消去データを取得するようにすることもできる。
【００９４】
このようにして生成された消去データに基づき、レーザマーカ装置４２はコンテナ１０に貼付されているリライタブルペーパ２０に消去処理を実行し（ステップＳ３２７）、コンテナ１０に貼付されているリライタブルペーパ２０に印字処理を実行し（ステップＳ３２８）、処理を終了する（ステップＳ３２９）。
【００９５】
これらのステップを踏むことにより、レーザマーカ装置４２はコンテナ１０に書換えを行う際、リライタブルペーパ２０に既に印字されている画像のフォーマット毎に適した領域へ部分的な消去を行うだけでよく、消去処理にかかる時間を短縮することができる。また、予め作成した消去データを保持しておき、フォーマット毎に適した物を取得するのみであるため、消去データ生成をその都度必要としなくなるので、書換え処理が高速になる利点がある。
【００９６】
図１７は第３の実施形態の更に他の処理例を示すフローチャートである。
【００９７】
配送センター内で印字する画像のフォーマットが１つである場合は、既に生成した消去データは書込制御装置４１側の消去データ保持手段により持たせておいてもよい。その際は、バーコードリーダ５０は不要であり、書き込みが必要な際は配送管理システムからの送信を必要とせず書込制御装置４１の消去データを利用するだけで済む。
【００９８】
処理を開始すると（ステップＳ３３１）、画像を書き込むためのデータを取得し（ステップＳ３３２）、印字データを生成する（ステップＳ３３３）。
【００９９】
次に保持している消去データに基づき消去処理を実行し（ステップＳ３３４）、印字データに基づき印字処理を実行し（ステップＳ３３５）、処理を終了する（ステップＳ３３６）。
【０１００】
この場合はバーコードリーダ５０が不要となるためコストを抑えることができ、また配送管理システムとの通信も最小限となるため高速な処理を行うことができる。
【０１０１】
＜総括＞
本実施形態によれば、コンテナに取り付けられたリライタブルペーパに対してレーザを用いて書換えを行う際、その環境、例えば配送センターや工場毎に応じた適切かつ迅速な書換えシステムを提供することができる。
【０１０２】
例えば、ラベルへ印字する画像のフォーマットがまちまちであり画像のサイズやオブジェクト数も多様にあるような環境下では、第１の実施形態をとることで消去処理にかかる時間を抑えることができる。この際、これから印字する部分がラベルの全体に渡る場合は一つの消去領域とし、これから印字する部分がラベルの局部に限定される場合はオブジェクト毎の消去領域とし、これから印字するパターンが少ない場合は上位装置から得た消去領域とすることができる。
【０１０３】
また、ラベルへ印字される画像間の差異が少ない環境下では、第２の実施形態のようにラベルの差異部分だけの書換えを行い、書き換え時間を最小に抑えることができる。
【０１０４】
また、ラベルへ印字する画像のフォーマットはまちまちだが、書き込むオブジェクトが少ない場合は、第３の実施形態のようにオブジェクト領域のみの削除を行う消去データを生成して消去を行えばよい。
【０１０５】
更に、全てのラベルに対し、同じまたは数種のフォーマットでその都度書換えを行うような環境下では、第３の実施形態の変形例のように、予め消去データを作っておき、書換えの際は消去データを生成せず、ラベルに印字された画像のフォーマットに対応した消去データを利用すればよい。
【０１０６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１０７】
１０        コンテナ
２０        リライタブルペーパ
３０        コンベア
４０        レーザ書込装置
４１        書込制御装置
４２        レーザマーカ装置
４２１      全体制御装置
４２２      レーザ照射部
４２３      レーザ発振器
４２４      スポット径調整レンズ
４２５      方向制御ミラー
４２６      方向制御モータ
４２７      焦点距離調整レンズ
５０        バーコードリーダ
【先行技術文献】
【特許文献】
【０１０８】
【特許文献１】特開２００４−  ９００２６号公報
【特許文献２】特開２００７−２１６４２２号公報
【特許文献３】特開２００４−３２２４９３号公報
【特許文献４】特開２００９−１７２８０１号公報
【特許文献５】特開２００８−１９４９０５号公報
【図１】
0005655552.tif 000002
【図２】
0005655552.tif 000003
【図３】
0005655552.tif 000004
【図４】
0005655552.tif 000005
【図５】
0005655552.tif 000006
【図６】
0005655552.tif 000007
【図７】
0005655552.tif 000008
【図８】
0005655552.tif 000009
【図９】
0005655552.tif 000010
【図１０】
0005655552.tif 000011
【図１１】
0005655552.tif 000012
【図１２】
0005655552.tif 000013
【図１３】
0005655552.tif 000014
【図１４】
0005655552.tif 000015
【図１５】
0005655552.tif 000016
【図１６】
0005655552.tif 000017
【図１７】
0005655552.tif 000018